(57)【特許請求の範囲】
【請求項１】
床面Ｆの凹所１０に固定的に設けられかつ内壁にストッパー部３２を有する箱体３と、この箱体に内装されると共に、箱体内装のバネ４３のバネ力により前記ストッパー部で停止するように水平方向に付勢されかつ一端部に係合切欠部４１を有する落し棒２の開閉方向のガタツキ防止用摺動保持体４と、下方先端部に、箱体の開口３４に入り込んだ初期時には摺動保持体の上端縁と接触するように最先端面に至るにしたがって幅広になっている押し圧傾斜面２４及びその後の差し込みにより該押し圧傾斜面２４が下降し始めるのに伴い、摺動保持体４はバネ４３のバネ力に抗してやや後退して、押し圧傾斜面２４の左右の被係止面２５、２５が前記係合切欠部４１の左右の係止面４５に係合する落し棒の差込み本体２２を備え、前記落し棒の差込み本体２２は支持金具１に垂直方向に案内支持されるドア類の落し棒装置。
【請求項２】
請求項１に於いて、落し棒２の押し圧傾斜面２４は、台形の傾斜面と成っていることを特徴とするドア類の落し棒装置。
【請求項３】
請求項１に於いて、落し棒２は下方先端部に差し込み本体２２を有し、この差し込み本体の横断面が台形状であることを特徴とするドア類の落し棒装置。
【請求項４】
請求項１に於いて、摺動保持体４は、正方体乃至直方体のブロック状に形成されていることを特徴とするドア類の落し棒装置。
【請求項５】
請求項１に於いて、箱体３Ａには落し棒が箱体３Ａ内に深く入込むことができるように突起状収納部３６が設けられていることを特徴とするドア類の落し棒装置。
【発明の詳細な説明】
【０００１】
【発明の属する技術分野】
本発明は普通一般に使用されているドア、門扉などのドア類の落し棒装置に関する。
【０００２】
【従来の技術】
従来、この種のドア類の落し棒装置は、落し棒と、この落し棒の下方先端部と係合する床面の凹所あるいは箱体に内装された受け具との間隙をなくし、ドア類の開閉方向のガタツキを防止することを発明の課題としている。そこで、このような発明の課題を解決するために、たとえば実開平６−８５８７６号公報に一例が開示されている。
【０００３】
この公報に開示されたドア類の落し棒装置は、落し棒の受け具に特徴があり、該受け具は、床面の凹所に固定的に埋設された筒状の係合部を有するケース体と、このケース体内に緊密に回動可能に嵌合し、かつ、鍔を有する上面の偏心部位に落し棒用嵌入孔を形成した調整円筒体とから成る。
【０００４】
しかしながら、上記構成に於いては、ドア類のガタツキを防止することができるものの、ケース体を床面の凹所に固定的に埋設した後、調整円筒体を回動調節しなければならず、また調整円筒体を回動調節しても、ケース体を床面の凹所の特定位置に精度良く埋設しないと、ドア類が所望の位置に閉じた場合に、落し棒が調整円筒体の嵌入孔に入り込まないと言う問題点があった。
【０００５】
【発明が解決しようとする課題】
本発明の課題は、従来の技術の欠点に鑑み、箱体を落し棒の落下する位置との関係をある程度考慮して床面の凹所内にセッテイングすると、その後に摺動保持体自体の位置を微調整する必要は全無く、また落し棒を摺動保持体で確実に保持し、よって、落し棒（ドア類）の開閉方向のガタツキを防止することができ、さらに、摺動保持体に対する落し棒の係合の容易化あるいは確実化を図ることができ、加えて、構成する部品点数が少ないドア類の落し棒装置を提供することである。
【０００６】
【課題を解決するための手段】
本発明のドア類の落し棒装置は、床面Ｆの凹所１０に固定的に設けられかつ内壁にストッパー部３２を有する箱体３と、この箱体に内装されると共に、箱体内装のバネ４３のバネ力により前記ストッパー部で停止するように水平方向に付勢されかつ一端部に係合切欠部４１を有する落し棒２の開閉方向のガタツキ防止用摺動保持体４と、下方先端部に、箱体の開口３４に入り込んだ初期時には摺動保持体の上端縁と接触するように最先端面に至るにしたがって幅広になっている押し圧傾斜面２４及びその後の差し込みにより該押し圧傾斜面２４が下降し始めるのに伴い、摺動保持体４はバネ４３のバネ力に抗してやや後退して、押し圧傾斜面２４の左右の被係止面２５、２５が前記係合切欠部４１の左右の係止面４５に係合する落し棒の差込み本体２２を備え、前記落し棒の差込み本体２２は支持金具１に垂直方向に案内支持されることを特徴とする。
【０００７】
【発明の実施の形態】
以下、図面に示す本発明の実施の形態を、門扉の枠柱側と床面の凹所側との関係で説明する。
【０００８】
図１乃至図８に於いて、Ｘは本発明が適用されるドア類の落し棒装置の第１実施例である。普通一般に使用されているドア、門扉などのドア類の落し棒装置Ｘは、基本的には、落し棒の支持金具１に垂直方向へスライド自在に案内される落し棒２と、床面Ｆの凹所（ドア枠体の凹所も含む）１０に固定された箱体３と、この箱体内に設けられ、かつ、前記落し棒２と係合する摺動保持体４とから構成されている。そこで、これらの構成部材について順次説明する。
【０００９】
まず落し棒の支持金具１は、図１で示すように門扉の枠柱５に複数個の固着具６を介して固着される。この支持金具１の形態には、縦方向に落し棒用のガイド嵌合空間を有する中空支持杆状タイプ、上下の水平部に落し棒用のガイド枠やガイド孔を有するコ字型板タイプ等がある。本実施例では図１及び図２で示すようにＬ字型板タイプが使用されている。
【００１０】
すなわち、７は垂直板の上端部寄りの部位の窪み部に形成されたガイド垂直長孔で、この垂直長孔７には落し棒２の操作摘み２３が突出状態に係合している。一方、８は垂直板と連設する水平板に形成されたガイド孔で、このガイド孔８には落し棒２の下方先端部に設けられた差込み本体２２が嵌入している。なお、支持金具１の垂直板と水平板には固着具６用のネジ孔９、９が形成されている。
【００１１】
次に落し棒２は、前述した操作摘み２３を有しかつ支持金具１の垂直板に沿って上下動するスライド板２１と、このスライド板２１の下端部に固定的に設けられかつ差込み端部の一側に押し圧傾斜面２４を有する前述の差込み本体２２とから成る。しかして、前記差込み本体２２は、図４で示すように横断面が台形状に形成され、また前記押し圧傾斜面２４も台形の傾斜面と成っている。したがって、差込み本体２２の差込み端部には、さらに後述の摺動保持体４との関係に於いて、押し圧傾斜面２４を基準にすると、左右に対称的に位置する被係止面２５、
２５と、これらの係止面２５、２５の中心部に位置する幅狭の被係合面２６とを有している。したがって、押し圧傾斜面２４は、例えば図３、図４で示すように、最先端面に至るにしたがって幅広になっている。
【００１２】
次に箱体３は金属又は合成樹脂材で形成され、床面Ｆの凹所（サッシ枠体の下枠も含む）１０に接着剤、ネジ等の固着具１１を介して固定的に埋設される。この箱体３は、本実施例では内壁面の適当な部位に突出形成された複数個のストッパー部３２を有する箱本体３１と、床Ｆと略同一平面に位置するように箱本体３１をカバーしかつ落し棒の差込み本体２２用の開口３４を有する蓋板３３とから成る。
【００１３】
次に摺動保持体４は硬質の合成樹脂材で正方体乃至直方体のブロック状に形成され、本実施例では箱体３の内壁３ａに直接又は間接的に案内されながら水平方向へスライドする。しかして、落し棒２の差込み本体２２と対向する摺動保持体４の一端部（先端部）には、垂直方向に係合切欠部４１が形成されている。この係合切欠部４１は、平面側から見ても同一であるが、図６で示すように箱本体３１の底面側から見ると、落し棒２の被係止面２５、２５並びに被係合面２６を受入れることができるように台形あるいは山形状の形状を呈している。
【００１４】
したがって、摺動保持体４の一端部には、落し棒２の押し圧傾斜面２４と当接する垂直面４４、この垂直面に角度方向にそれぞれ連設しかつ落し棒２の被係止面２５、２５と当接する左右対称の係止面４５、４５、これらの係止面の中心部に位置しかつ落し棒２の被係合面２６と当接ないし対向する係合面４６がそれぞれ形成されている。
【００１５】
一方、摺動保持体４の他端部（後端部）にはバネ４３の一端部を支持する嵌合孔４２が形成されている。前記バネ４３はその他端部が箱本体３１の内壁に当接し、摺動保持体４の垂直面４４がストッパー部３２に当たるように付勢する。
【００１６】
上記構成に於いては、まず箱本体３１を床面Ｆの凹所１０に嵌め込み、摺動保持体４をバネ４３と共に箱本体３１内に組み込む。この際、凹所１０の大きさ如何により、箱本体３１は落し棒２の差込み本体２２の落下する位置との関係を考慮して凹所１０内にセッテイングされる。摺動保持体４は箱本体３１内に組み込まれると、バネ４３により一方向へ付勢され、かつ、箱本体３１のストッパー部３２により所定位置に停止する。したがって、摺動保持体４自体の位置を微調整する必要は全く無い。そして、箱本体３１のセッテイングする位置が決まった後に蓋体３３を箱本体３１並びに床面Ｆに固定する。なお、床面Ｆの凹所１０の大きさが所定寸法の箱本体３１を受入れるように予め設定されている場合には、箱本体３１を単に凹所１０内に嵌め込むだけで良い。
【００１７】
そこで、落し棒２の操作摘み２３を操作し、該落し棒２を落下させた場合について説明する。落し棒２の差込み本体２２の下方先端部が箱体３の開口３４に入り込むと、まず初期時には、図７で示すように押し圧傾斜面２４のその幅広最先端面が摺動保持体４の垂直面４４の上端縁と線接触する。そして、差込み本体２２がこの線接触の状態で摺接しながら下降し始めると、摺動保持体４はバネ４３のバネ力に抗してやや後退し、次に差込み本体２２の下降に伴い、摺動保持体４の垂直面４４の上端縁が差込み本体２２の押し圧傾斜面２４からその左右の稜線
を越えて被係止面２５、２５へと移行するや否や、図８で示すように摺動保持体４の係合切欠部４１に落し棒２の差込み本体２２が「スパット」と係合する。これにより差込み本体２２の被係合面２６は摺動保持体４の係合面４６に当接し、また差込み本体２２の左右の被係止面２５、２５は摺動保持体４の対応する係止面４５、４５とそれぞれ当接する。これによって、差込み本体２２は摺動保持体４に保持され、その結果、落し棒２（ドア類）の開閉方向のガタツキが防止される。
【００１８】
【実施例】
まず発明の実施の形態で説明した第１実施例に於いては、差込み本体２２は、図４で示すように断面が台形状に形成され、また押し圧傾斜面２４も台形の傾斜面と成っている。しかしながら、差込み本体２２の断面は三角形状でも良く、また差込み本体２２が普通一般に使用されている全体が棒状タイプの場合には、下方先端部の外周面の半分側の断面形状が台形乃至三角形状であれば良い。また差込み本体２２に形成された押し圧傾斜面２４は、その最先端部が幅広く、上方に登るに連れて幅狭となる傾斜面であれば、三角形状であっても良い。
【００１９】
また摺動保持体４と落し棒２の差込み本体２２との摺接関係についてであるが、箱体３を落し棒２の落下位置との関係で床面Ｆの凹所１０に正確にセッテングシしない場合であっても、差込み本体２２の押し圧傾斜面２４のその幅広最先端面が摺動保持体４の垂直面４４の上端縁と多少面接触することができるように、前記上端縁を曲率の少ないアール又は面積の少ない傾斜面に形成しても良い。
【００２０】
さらに、箱本体３１と摺動保持体４とのスライド関係であるが、摺動保持体４を水平方向へ案内する場合、たとえば摺動保持体４に係合突起を形成し、一方、箱本体３１に前記係合突起が係合する水平溝乃至水平カイド切欠部を形成しても良い。
【００２１】
次に図９乃至図１１は本発明の他の実施例を示す落し棒装置Ｘ１である。なお、この実施例の説明にあたって、本発明の前記第１実施例と同一部分には同一の符号を付して重複する説明を省略する。
【００２２】
落し棒装置Ｘ１の第２実施例に於いて、前記第１実施例と主に異なる点は、箱体３Ａの箱本体３１Ａである。この箱本体３１Ａには、落し棒の差込み本体２２Ａが箱本体３１Ａ内に深く入り込むことができるように突起状収納部３６が設けられている。この突起状収納部３６は、図９で示すように箱本体３１Ａの底面３７の一端部に下方に向かって断面指先状に連設しているが、必ずしも断面指先状である必要はない。要は第１実施例で説明した落し棒の差込み本体２２Ａが支障なく箱本体３１Ａ内に深く入り込むことができる断面形状であれば良い。
【００２３】
このように箱本体３１Ａに突起状収納部３６を形成すると、箱本体３１Ａ内に差込み本体２２Ａが深く落ち込むため、摺動保持体４Ａに形成した係合切欠部４１Ａと係合する差込み本体２２Ａ側の被係止面２５、２５の係合面積が増え、落し棒は摺動保持体４Ａの係止面４５、４５に確実に保持される。したがって、落し棒のガタツキをより確実に防止することができる。
【００２４】
【発明の効果】
以上の説明から明らかなように、本発明にあっては、次に列挙するような効果がある。
（１）箱体を落し棒の落下する位置との関係をある程度考慮して凹所内にセッテイングすると、その後に摺動保持体自体の位置を微調整する必要は全く無い。したがって、セッテイングが容易である。
（２）落し棒の下方先端部には、箱体の開口に入り込んだ初期時に摺動保持体の上端縁と接触する押し圧傾斜面と、その後の落下により摺動保持体の係合切欠部の左右の係止面とそれぞれ係合する被係止面とが形成されているので、落し棒は摺動保持体に挟み状態で保持され、その結果、落し棒（ドア類）の開閉方向のガタツキが防止される。
（３）構成する部品点数が少ない。
（４）請求項２記載の発明は、落し棒の押し圧傾斜面のその幅広最先端面が摺動保持体の垂直面の上端縁と接触した後、摺動保持体の係合切欠部に対する落し棒の係合の容易化を図ることができる。
（５）請求項３記載の発明は、箱体を床面の凹所にセッテイングする際に、落し棒の下方先端部が目安となる。また箱体を少しでも小形化できる。
（６）請求項４記載の発明は、摺動保持体の係合切欠部の高さ寸法が増えるので、落し棒の押し圧傾斜面の角度を所望するように設定し、これにより、摺動保持体のスライド量を多くすることができると共に、摺動保持体の落し棒に対する保持力の確実化を図ることができる。
（７）請求項５記載の発明は、落し棒のガタツキをより確実に防止することができる。
【図面の簡単な説明】
図１乃至図８は本発明の第１実施例を示す各説明図、図９乃至図１１は本発明の第２実施例を示す各説明図。
【図１】本発明の実施形態の一例を示す縦断説明図。
【図２】本発明の第１実施例の構成部品の斜視図。
【図３】本発明の分解斜視図。
【図４】要部の斜視図。
【図５】主要部の概略断面説明図。
【図６】箱体の下側から一部切欠して見た場合の説明図。
【図７】落し棒の下方先端部が箱体の開口に入り込んだ初期時の説明図（特に落し棒の押し圧傾斜面のその幅広最先端面が摺動保持体の垂直面の上端縁と接触した状態を示す）。
【図８】落し棒の下方先端部が摺動保持体に係合した状態の説明図。
【図９】第２実施例の主要部の概略断面説明図。
【図１０】第２実施例の分解斜視図。
【図１１】落し棒の下方先端部が摺動保持体に係合した状態の説明図。
【符号の説明】
Ｘ、Ｘ１…落し棒装置、Ｆ…床面、１…支持金具、５…門扉の枠柱、１０…凹所、２…落し棒、２１…スライド板、２２、２２Ａ…差し込み本体、２３…操作摘み、２４…押し圧傾斜面、２５…被係止面、２６…被係合面、３、３Ａ…箱体、３１…箱本体、３２…ストッパー部、３３…蓋板、４、４Ａ…摺動保持体、４１、４１Ａ…係合切欠部、４２…嵌合孔、４３…バネ、４４…垂直面、４５…係止面、４６…係合面、３６…突起状収納部、３７…底面。
【図１】
0003767936.tif 000002
【図２】
0003767936.tif 000003
【図３】
0003767936.tif 000004
【図４】
0003767936.tif 000005
【図５】
0003767936.tif 000006
【図６】
0003767936.tif 000007
【図７】
0003767936.tif 000008
【図８】
0003767936.tif 000009
【図９】
0003767936.tif 000010
【図１０】
0003767936.tif 000011
【図１１】
0003767936.tif 000012